(57)【要約】【課題】プロテクタの組み立ておよび分解の作業性を高める。【解決手段】本体ケース１１の上面開口に被せる別体の蓋１２は、長さ方向一端側に設けた操作部１７と、残部からなるスライド部１８とを薄肉ヒンジ部１９を介して連結してなる。操作部１７にはロック片２２を垂設し、スライド部１８にはＬ形状の固定爪２６を長さ方向に間隔をあけて垂設し、本体ケース１２には、ロック片２２を嵌め殺し式に挿入係止するロック枠３１と、固定爪２６をスライド係止式に挿入できる固定枠２９とを突設している。操作部１７を持ち上げた状態の蓋１２を本体ケース１１に被せ、各固定爪２６を固定枠２９内に通したのち該蓋１２をスライドさせ、各固定爪２６の下横枠２８を固定枠２９の下端２９ａに係止させた後、操作部１７を押し下げてロック片２２をロック枠３１に挿入係止して蓋１２と本体ケース１１とをロック結合する。【選択図】図３
2011072085.tif 000002
【特許請求の範囲】
【請求項１】
自動車または二輪車に配索されるワイヤハーネスを挿通する樹脂成形品からなるプロテクタであって、
底壁と該底壁の幅方向の両端から突設した側壁とで囲んだワイヤハーネス貫通空間を有する上面開口の本体ケースと、前記上面開口を閉鎖する別体の蓋を備え、
前記蓋は長さ方向の一端側に薄肉ヒンジ部を介して残部と連結した操作部を設け、
前記操作部の幅方向の両端縁からロック片を垂設する一方、前記本体ケースの両側壁に前記ロック片が挿入係止されるロック枠を突設し、かつ、
前記蓋の残部には幅方向の両側縁に沿ってＬ形状の固定爪を長さ方向に間隔をあけて垂設する一方、前記本体ケースの両側壁には前記Ｌ形状の固定爪を挿入できるコ字状の固定枠を間隔をあけて突設し、
前記本体ケースに前記蓋を被せ、該蓋の各Ｌ形状の固定爪の縦枠を本体ケースの各固定枠内に通すと共に該固定爪の下横枠を固定枠より下方に突出させた状態で、蓋をスライドさせて前記各固定爪の下横枠を固定枠に係止させ、該位置で前記操作部の前記ロック片が前記本体ケースのロック枠に挿入係止できる位置となり、該ロック片をロック枠に挿入係止して前記蓋と前記本体ケースとをロック結合する構成としていることを特徴とするワイヤハーネス用のプロテクタ。
【発明の詳細な説明】
【技術分野】
【０００１】
本発明はワイヤハーネス用のプロテクタに関し、特に、プロテクタ本体と蓋とのロック結合構造を改良して、組み立ておよび分解の作業性を高めるものである。
【背景技術】
【０００２】
自動車に配索するワイヤハーネスは、他の車載機器との外部干渉から電線群を保護すると共に配線経路を規制する目的で、樹脂成形品からなるプロテクタを取り付ける場合が多い。
【０００３】
図５は、この種のプロテクタとして周知の例を示す。
図５に示すプロテクタ１は、内部にワイヤハーネス貫通空間を備えた上面開口で樋形状のプロテクタ本体２と、該プロテクタ本体２の上面開口を閉鎖する別体の蓋３とを備え、該蓋３の幅方向両端からは複数のロック片４を長さ方向に間隔をあけて垂設し、プロテクタ本体２の両側壁２ａの外面には、前記各ロック片４と対応する位置に複数のロック枠５を突設し、これら複数対のロック片４とロック枠５とを挿入係止して、蓋３をプロテクタ本体２にロック結合する構造としている。
なお、本出願人は、先の出願に係る特開平７−２４５８３９号（特許文献１）において同様のプロテクタの例を示している。
【０００４】
しかしながら、前記ロック構造は、ロック片４をロック枠５に挿入する際にロック枠５を押し広げるように変形させるための強い挿入力が必要であり、挿入後はロック枠５が原形復帰することにより容易に外れない構造、所謂「嵌め殺し式」のロック構造となっている。しかも、通常のプロテクタ１にはロック片４とロック枠５とが複数対設けられており、特に蓋３がプロテクタ本体２と別体である場合はロック部の数が多くなり、その多数のロック部の全てにおいて嵌め殺し式の挿入係止が必要となるため、組み立てに手間と時間がかかるという問題があった。さらに、蓋３を取り外す際には、治具を使用して多数のロック部を一つずつ解除しなければならず、分解の作業性も非常に悪いという課題があった。
【先行技術文献】
【特許文献】
【０００５】
【特許文献１】特開平７−２４５８３９号公報
【発明の概要】
【発明が解決しようとする課題】
【０００６】
本発明は前記問題に鑑みてなされたものであり、ワイヤハーネス用のプロテクタにおいて、プロテクタ本体と蓋とのロック結合力を損なうことなくロック結合およびロック解除を容易に行えるようにし、プロテクタの組み立ておよび分解の作業性を高めることを課題としている。
【課題を解決するための手段】
【０００７】
前記課題を解決するために、本発明は、自動車または二輪車に配索されるワイヤハーネスを挿通する樹脂成形品からなるプロテクタであって、
底壁と該底壁の幅方向の両端から突設した側壁とで囲んだワイヤハーネス貫通空間を有する上面開口の本体ケースと、前記上面開口を閉鎖する別体の蓋を備え、
前記蓋は長さ方向の一端側に薄肉ヒンジ部を介して残部と連結した操作部を設け、
前記操作部の幅方向の両端縁からロック片を垂設する一方、前記本体ケースの両側壁に前記ロック片が挿入係止されるロック枠を突設し、かつ、
前記蓋の残部には幅方向の両側縁に沿ってＬ形状の固定爪を長さ方向に間隔をあけて垂設する一方、前記本体ケースの両側壁には前記Ｌ形状の固定爪を挿入できるコ字状の固定枠を間隔をあけて突設し、
前記本体ケースに前記蓋を被せ、該蓋の各Ｌ形状の固定爪の縦枠を本体ケースの各固定枠内に通すと共に該固定爪の下横枠を固定枠より下方に突出させた状態で、蓋をスライドさせて前記各固定爪の下横枠を固定枠に係止させ、該位置で、前記操作部の前記ロック片が前記本体ケースのロック枠に挿入係止できる位置となり、該ロック片をロック枠に挿入係止して前記蓋と前記本体ケースとをロック結合する構成としていることを特徴とするワイヤハーネス用のプロテクタを提供している。
【０００８】
このように、プロテクタの本体ケースと蓋とに設ける複数のロック箇所のうち、蓋の一端側に設けて昇降作動させる前記操作部と、該操作部が被さる部分の本体ケースにのみ所謂「嵌め殺し式」のロック部を設け、該操作部を除く前記残部と該残部が被さる部分の本体ケースには嵌め殺し式ではなくスライド係止式のロック部を設けている。これにより、プロテクタの組み立て時には複数あるロック箇所のうち一部についてのみロック片をロック枠に嵌め殺し挿入すればたり、その他のロック箇所は蓋のスライド操作によって容易にロック係止させることができる。
【０００９】
さらに、蓋に設ける前記操作部と前記残部とは薄肉ヒンジ部を介して連結しているため、蓋を本体ケースに取り付ける際には、前記薄肉ヒンジ部より折り曲げて前記操作部を少し持ち上げておき、蓋を本体ケースから取り外す際には、操作部の嵌め殺し式ロック部を先に解除して該操作部を持ち上げておくことにより、それぞれロック方向の異なるスライド係止式ロック部のロック係止およびロック解除作業と、嵌め殺し式ロック部のロック係止およびロック解除作業とを別々に行って機能させることが可能となる。
【００１０】
よって、作業性の悪いロック部、即ち、ロック係止に際してはロック枠が撓み変形するようにロック片を一つずつ強く押し込んで挿入する必要があり、ロック係止後は治具を用いて一つずつロック解除する必要がある面倒な嵌め殺し式ロック部の数を減らすことができるため、プロテクタの組み立ておよび分解の作業性を向上させることができる。
【００１１】
特に、プロテクタが長尺でロック部を多数設ける必要がある場合でも、この嵌め殺し式ロック部は長さ方向一端側の両側に少なくとも一対形成すればたり、他の全てのロック部を前記スライド係止式のロック部とすることができる。かつ、スライド係止式ロック部をどれほど多数設けても、１回の蓋のスライド操作によって全てのスライド係止式ロック部を同時に一括係止または一括解除することができるため、本体ケースと蓋の組み立ておよび分解の作業性を大幅に向上させることができる。
【００１２】
さらに、前記スライド係止式のロック部は、前記嵌め殺し式ロック部のロック係止によって固定され、解除方向のスライド移動が規制されるため、嵌め殺し式ロック部を解除しない限りスライド係止式ロック部も解除されない。よって、蓋と本体ケースとのロック係止およびロック解除のしやすさと、強いロック結合力とを両立させることができる。
【発明の効果】
【００１３】
上述したように、本発明のワイヤハーネス用のプロテクタは、本体ケースに被せる蓋を長さ方向の一端側の操作部と該操作部と薄肉ヒンジ部を介して連結する残部とで構成し、作業性の悪い嵌め殺し式ロック部を前記操作部と該操作部が被さる部分の本体ケースにのみ設け、前記残部と該残部が被さる部分の本体ケースに設けるロック部をスライド係止式としている。また、プロテクタの組み立て時には、前記操作部を持ち上げた状態で先に前記残部側のスライド係止式ロック部をスライド係止させた後、操作部を押し下げて嵌め殺し式ロック部を挿入係止することにより、逆に、プロテクタの分解時には、先に操作部側の嵌め殺し式ロック部を解除して操作部を持ち上げた後、残部側のスライド係止式ロック部をスライド解除することにより、ロック方向の異なるスライド係止式ロック部と嵌め殺し式ロック部の両方を機能させることができる。
【００１４】
よって、ロック係止に際してもロック解除に際しても手間と時間のかかる面倒な嵌め殺し式ロック部の数を減らすことができ、かつ、スライド係止式ロック部についても、複数のロック部を１回のスライド操作で一括係止または一括解除することができるため、プロテクタの組み立ておよび分解の作業性を向上させることができる。
【００１５】
さらに、前記スライド係止式ロック部は、前記嵌め殺し式ロック部のロック係止によって解除方向のスライド移動が規制され、安定したロック係止状態を保つことができるため、本発明のプロテクタは従来のプロテクタに比しても遜色ない強いロック結合力を有することができる。
【図面の簡単な説明】
【００１６】
【図１】本発明の第一実施形態に係るプロテクタの分解斜視図である。
【図２】図１に示す固定爪と固定枠の拡大斜視図である。
【図３】（Ａ）〜（Ｃ）は図１に示すプロテクタの組み立て手順を示す説明斜視図である。
【図４】第一実施形態の変形例１を示す斜視図である。
【図５】従来例を示す斜視図である。
【発明を実施するための形態】
【００１７】
以下、本発明の実施形態を図面を参照して説明する。
図１乃至図３に、本発明の第１実施形態に係るプロテクタ１０を示す。
【００１８】
プロテクタ１０は、自動車に配索されるワイヤハーネスを挿通するものであり、樹脂で一体成形された本体ケース１１と、該本体ケース１１とは別体として樹脂で一体成形された蓋１２とからなる。
【００１９】
前記本体ケース１１は、図１に示すように、底壁１３と、該底壁１３の幅方向両端から立設した側壁１４を備えた上面開口の樋形状よりなり、該樋形状の内部をワイヤハーネス貫通空間１５としている。前記底壁１３の長さ方向の両端は側壁１４の長さ方向両端より延出させ、プロテクタ１０をワイヤハーネスに固定するテープ巻き舌片１６を形成している。
【００２０】
前記蓋１２は、前記本体ケース１１の上面開口に被せて閉鎖するものである。該蓋１２は、図１に示すように、長さ方向の一端側を操作部１７、該操作部１７を除く残部をスライド部１８とし、該スライド部１８と前記操作部１７とを薄肉ヒンジ部１９を介して連結している。このように、蓋１２を薄肉ヒンジ部１９の位置で折り曲げ可能とし、該薄肉ヒンジ部１９を支点として操作部１７を傾斜させて上方に持ち上げたり下ろしたりできる構成としている。
【００２１】
前記操作部１７は、図１に示すように、上壁２０と、該上壁２０の幅方向両端より下方に突設した両側壁２１とを備え、該両側壁２１の外面には、一対のロック片２２を両側壁２１の下縁２１ａより下方に突出するように垂設している。このロック片２２は、その下端より外側上向きに係止爪２３を突設した嵌め殺し式のロック片としている。
【００２２】
前記スライド部１８は、図１に示すように、上壁２４と、該上壁２４の幅方向両端より下方に突設した両側壁２５とを備え、前記操作部１７と断面形状を同一としているが、その全長は操作部１７よりも長く、長さ方向に等間隔をあけて３対の固定爪２６を備えている。
【００２３】
前記各固定爪２６はスライド係止式の固定爪であり、前記スライド部１８の側壁２５の外面から該側壁２５の下端２５ａより下方に突出するように垂設される縦枠２７と、該縦枠２７の下端を一方向に水平に屈曲させた下横枠２８とからなるＬ形状よりなる。３対計６個の全固定爪２６の前記下横枠２８の屈曲方向は全て同一方向とし、本実施形態では、該下横枠２８を縦枠２７の下端から前記ロック片２２側に屈曲させて形成している。
【００２４】
前記本体ケース１１の両側壁１４の上端縁１４ａに沿った外面には、図１および図３（Ｃ）に示すように、前記各固定爪２６と上下対向する位置にコ字形状の固定枠２９を突設し、これら固定爪２６と固定枠２９とで計６箇所のスライド係止式ロック部Ｂを形成している。
【００２５】
前記固定枠２９と側壁１４とで囲まれた係止穴３０の幅Ｗ１は、図２に示すように、前記下横枠２８の幅Ｗ２と略同寸または若干大寸として、図３（Ａ）に示すように、本体ケース１１に蓋１２を被せる際に下横枠２８を貫通できると共に、蓋１２の後述するスライド操作後に該下横枠２８が固定枠２９の下端２９ａに係止されるように寸法設定している。また、固定枠２９の上下高さＨ１は、図３（Ａ）に示すように、本体ケース１１に蓋１２を被せたときに前記下横枠２８全体が固定枠２９の下端２９ａより下方に突出する高さに設定している。
【００２６】
前記本体ケース１１の両側壁１４の上端縁１４ａに沿った外面には、図１および図３（Ｃ）に示すように、前記固定枠２９を形成していない長さ方向一端側に、前記ロック片２２を挿入係止するロック枠３１を突設し、このロック片２２とロック枠３１とで計２箇所の嵌め殺し式ロック部Ａを形成している。ロック枠３１は、図３（Ｂ）（Ｃ）に示すように、蓋１２の後述するスライド操作後における前記ロック片２２と上下方向に対向する位置に形成している。
【００２７】
前記構成のプロテクタ１０の組み立てに際しては、まず、図３（Ａ）に示すように、蓋１２を前記薄肉ヒンジ部１９の位置で折り曲げて前記操作部１７を上方に持ち上げた状態で、該蓋１２を本体ケース１１の上面開口に被せ、前記スライド部１８に形成した計６個の各固定爪２６を本体ケース１１の固定枠２９に上方から挿入し、各固定爪２６の縦枠２７が固定枠２９の係止穴３０内を貫通し、下横枠２８全体が固定枠２９の下端２９ａから下方に突出した状態とする。
【００２８】
次に、図３（Ｂ）に示すように、蓋１２を操作部１７を上げた状態のまま固定爪２６の下横枠２８の突出方向にスライドさせる。これにより、この下横枠２８が固定枠２９の下端２９ａに係止されて蓋１２のスライド部１８の上下方向移動が規制された状態となると共に、操作部１７の前記ロック片２２が本体ケース１１の前記ロック枠３１と上下方向で対向する位置、即ち、ロック枠３１に挿入係止可能な位置に変位する。
【００２９】
最後に、操作部１７を本体ケース１１に向かって押し下げることにより、図３（Ｃ）に示すように、ロック片２２をロック枠３１に挿入してロック爪２３をロック枠３１に係止させる。これにより、操作部１７と本体ケース１１とがロック結合すると共に、前記スライド部１８のスライド方向移動がロック規制されるため、該スライド部１８の前記固定爪２６と固定枠２９がスライド移動によってロック解除されることも規制され、蓋１２全体を本体ケース１１に確実にロック結合することができる。
【００３０】
このように前記プロテクタ１０を用いると、組み立ての際に、計８箇所のロック部のうち６箇所のスライド係止式ロック部Ｂについては、図３（Ａ）（Ｂ）に示すような蓋１２の被せおよびスライド操作によって、容易かつ確実に一括係止することができるため、残る２箇所の嵌め殺し式ロック部Ａについてのみ、操作部１７を押し下げてロック枠３１にロック片２２を嵌め殺し状に挿入係止すれば足りる。また、分解の際には、この計２箇所の嵌め殺し式のロック部Ａのみを治具を用いてロック解除すれば足り、他の６箇所のスライド係止式ロック部Ｂについては、嵌め殺し式ロック部Ａの解除後に、固定爪２６の下横枠２８の突出方向と反対側に蓋１２をスライド移動させることにより容易に一括解除でき、該蓋１２を上方に持ち上げて取り外すことができるため、従来のように全てのロック部について一つずつ治具を用いて解除する必要がない。
【００３１】
よって、前記プロテクタ１０は、本体ケース１１と蓋１２とのロック結合力に優れると共に、本体ケース１１への蓋１２の取り付け作業と取り外し作業のいずれも容易かつ確実に行うことができ、作業性を向上させることができる。
【００３２】
なお、前記固定爪２６は、図４に示す変形例１のように、縦枠２７の下端から下横枠２８を、前記ロック片２２とは反対側に屈曲させた形状としてもよい。
【符号の説明】
【００３３】
１０  プロテクタ
１１  本体ケース
１２  蓋
１７  操作部
１８  スライド部
１９  薄肉ヒンジ部
２２  ロック片
２６  固定爪
２８  下横枠
２９  固定枠
３１  ロック枠
【図１】
2011072085.tif 000003
【図２】
2011072085.tif 000004
【図３】
2011072085.tif 000005
【図４】
2011072085.tif 000006
【図５】
2011072085.tif 000007